Podtech/llm-jp-corpus-v4-ja_patent huggingface dataset:
(57)【要約】      （修正有）【課題】トイレットロールペーパーホルダーを使う時に次回使用の掴み代を残せるようにし、紙切り刃を下向きにして危険防止を図ったトイレットロールペーパーホルダを提供する。【解決手段】芯を水平にしたロールの周りに両壁と奥壁を設けて、ロールのセットを下から挿入する心棒９を設ける。ロールに接する独立したカバー７の外側に軸５を共有する小カバー３を、小カバーが上辺よりやや下に有る軸を中心に上下に開閉出来る様に、取り付ける。カバーは軸の位置でロール側へ湾曲させ、小カバーの下端はカバーの下端より少し下に出して平行に設ける。カバーに腕８を付けて両壁のロールの心棒の下を斜めに通す、その腕を受けて支える釘１０，１１を両壁の心棒の下の位置に付け、両壁の心棒より奥壁側の腕の上方に腕にゆるく接する釘を付けた事を特徴とする。【選択図】図１
0003193759.tif 000002
【実用新案登録請求の範囲】
【請求項１】
カバーの外側に上下に開閉出来る小カバーを密接して取り付けてカバーを支える腕を両壁のロールの心棒の下に斜めに設けてそれぞれ心棒と数本の釘で支えた事を特徴とするトイレットロールペーパーホルダー。
【請求項２】
カバーの外側に小カバーをカバーと一定間隔を置いて固定してカバーを支える腕を両壁のロールの心棒の下に斜めに設けてそれぞれ心棒と数本の釘で支えた事を特徴とするトイレットロールペーパーホルダー。
【考案の詳細な説明】
【技術分野】
【０００１】  本考案は、カバーの外側に小カバーを設けてペーパーの次の掴み代を残せる様にしたトイレットロールペーパーホルダーに関するものである。
【背景技術】
【０００２】  従来のホルダーはロールか本体に手を触れなければペーパーをちぎれない物が多かった、触れずに使えても刃が上向きで危険を感じる物も有った。
【考案の概要】
【考案が解決しようとする課題】
【０００３】  公のトイレ等でペーパーホルダーに手を触れて使えばウイルスや細菌の感染原因になりかねない、いつも不潔感と不安感があった、又刃が上向きの物も有り危険を感じた。
本考案はこれらを解消しようとするものである。
【課題を解決するための手段】
【０００４】  カバーの外側に小カバーを取り付けてペーパーがカバーの下端を経て小カバーの下端でちぎれる様にするとカバーと小カバーの間の長さ分が次の掴み代として残る、カバーの腕を両壁のロールの心棒の下に斜めに設けて心棒と２本の釘で支えて自在カギの理を使える様にするとロールの径の変化に応じてカバーが移動し刃を下向きにしてペーパーを上向きに引きちぎる為の支点と作用点を確保出来る事により問題点を解決している。
【考案の効果】
【０００５】  ペーパーの次の掴み代が出ているのでホルダー本体に触れないでペーパーを掴む事が出来て引き出してちぎれる、感染の原因になる事が無くなり不潔感と不安感が解消される。刃は下向きで危険を感じない。
【図面の簡単な説明】
【０００６】
【図１】  側面断面図である。
【図２】  使用前と使用後の側面断面図である。
【図３】  使用側面断面図である。
【図４】  使用側面断面図である。
【考案を実施するための形態】
【０００７】  芯を水平にしたロールの周りに両壁と奥壁を設けて、心棒はロールのセットを下からする挿入式とし、独立したカバーの外側に上下に開閉出来て軸が上辺よりやや下に有る小カバーを密接して取り付ける、カバーは軸の位置でロール側へ湾曲させる、小カバーの下端は面に垂直にヤスリ目を入れてカバーの下端より少し下に出して平行に設ける、
カバーを支える腕を両壁のロールの心棒の下に斜めに設ける、両壁の心棒の下に腕を受けて支える釘を付けてその釘と心棒の間に腕を通して、心棒の下の奥壁側の腕の上方に腕にゆるく接する釘を付ける、
又上下に開閉する小カバーに替って、カバーと小カバーを一定間隔でそれぞれ下端を平行に固定する方法も有る。
【実施例】
【０００８】  図２のセットされたロール１から垂れているペーパー２を掴み必要な長さだけ引き出して上に引きちぎる時の前段階として図３のように小カバー３の刃４がペーパー２に捕えられてから図４のように小カバー３が前方へ開き軸５の上辺がストッパー６となり一定の処で止まるのでペーパー２が刃４の位置でちぎれる。
ちぎれた後小カバー３は図２の様に元の位置に戻り刃４は下を向いている、刃先はザラザラしているだけで全然鋭利で無いので危険はない。ペーパー２はカバー７の下端と小カバー３が開いて止まった時の刃４との間の長さだけ次の掴み代として残る事に成る。
ロール１の径が小さくなるに従ってカバー７と腕８は斜め下へ移動し腕８が心棒９と釘１０と釘１１に挟まれているので自在カギの理で図４のペーパー２を上へ引く場合でもつられてカバー７が移動する事が無い。
又カバー６と小カバー３を一定間隔で固定したホルダーも次の掴み代と刃４の向きに関しては同じ効果が有る
【符号の説明】
【０００９】  １  ロール
２  ペーパー
３  小カバー
４  刃
５  軸
６  ストッパー
７  カバー
８  腕
９  心棒
１０  釘
１１  釘
【図１】
0003193759.tif 000003
【図２】
0003193759.tif 000004
【図３】
0003193759.tif 000005
【図４】
0003193759.tif 000006
【手続補正書】
【提出日】平成26年8月8日(2014.8.8)
【手続補正１】
【補正対象書類名】実用新案登録請求の範囲
【補正対象項目名】全文
【補正方法】変更
【補正の内容】
【実用新案登録請求の範囲】
【請求項１】
芯を水平にしたロールの周りに両壁と奥壁を設けて、ロールのセットを下から挿入する心棒を設ける。ロールに接する独立したカバーの外側に軸を共有する小カバーを、小カバーが上辺よりやや下に有る軸を中心に上下に開閉出来る様に、取り付ける。カバーは軸の位置でロール側へ湾曲させ、小カバーの下端はカバーの下端より少し下に出して平行に設ける。
カバーに腕を付けて両壁のロールの心棒の下を斜めに通す、その腕を受けて支える釘を両壁の心棒の下の位置に付け、両壁の心棒より奥壁側の腕の上方に腕にゆるく接する釘を付けた事を特徴とするトイレットロールペーパーホルダー。
【請求項２】
芯を水平にしたロールの周りに両壁と奥壁を設けて、ロールのセットを下から挿入する心棒を設ける。ロールに接する独立したカバーの外側に小カバーの上端を、カバーの下端と小カバーの下端が一定の間隔を置いた状態で、固定する。カバーは小カバーの着いた位置でロール側へ湾曲させ、小カバーの下端はカバーの下端より少し下に出して平行に設ける。
カバーに腕を付けて両壁のロールの心棒の下を斜めに通す、その腕を受けて支える釘を両壁の心棒の下の位置に付け、両壁の心棒より奥壁側の腕の上方に腕にゆるく接する釘を付けた事を特徴とするトイレットロールペーパーホルダー。
(57)【要約】      （修正有）【課題】降雨時の水滴を除去することができる自動車サイドミラーの水滴除去装置を提供する。【解決手段】自動車サイドミラーに取り付ける自動車サイドミラーの水滴除去装置であって、車輌前方の空気を取り入れる空気取り入れ部１と、空気取り入れ部１により取り入れた空気をサイドミラーのミラー面に対して吹き付けるようにミラー面に対抗して配置した空気吹き出し部２を備えた空気流調整部をサイドミラーに取り付ける。【選択図】図１
0003193747.tif 000002
【実用新案登録請求の範囲】
【請求項１】
降雨時の水滴を自然エネルギーにより除去する事で後方の視界を安全に確認する為のサイドミラー（バックミラー）
【考案の詳細な説明】
【技術分野】
【０００１】この発明はサイドミラー（バックミラー）が水滴の乱反射により後方視野が悪くなる走行時の安全確保に関するものである。
【背景技術】
【０００２】サイドミラー表面に界面活性剤を塗布する又は、拭き取る。超音波による撥水などがある。
【考案の概要】
【考案が解決しようとする課題】
【０００３】降雨時、水滴による乱反射により後方確認が困難である場合に現状ではサイドミラー表面に界面活性剤を塗布する事は定期的に行わなければならない。又、運転中に人為的に拭き取らなければならない場合も有り危険であるが、本発明は取り付けるだけで降雨時の自動車運転時における車外サイドミラーの水滴を除去した上、後方視界を確保し安全性を高める手段を提供する。
【課題を解決するための手段】
【０００４】サイドミラー前面に空気取り入れ口を設け、空気出口をミラーに吹き付ける事により雨滴を吹き飛ばす事ができる。
【考案の効果】
【０００５】下記図面の様に降雨時、ミラー表面に付着した水滴を風圧により吹き飛ばす事が出来る様に作られており、安全でまた安価である。
【図面の簡単な説明】
【０００６】
【図１】  自動車サイドミラーの水滴防止装置の実施方法を示した横側の説明図である。
【図２】  自動車サイドミラーの水滴防止装置の実施方法を示したミラーカバー側の説明図である。
【図３】  自動車サイドミラーの水滴防止装置の実施方法を示したミラー側の説明図である。
【考案を実施するための形態】
【０００７】ミラー背面上部より取り込んだ空気の流れは矢印の様に出口は入口側より狭くしているため、収束された状態でミラー表面に吹き付けられ雨滴を吹き飛ばすことを実現した。
【図１】
0003193747.tif 000003
【図２】
0003193747.tif 000004
【図３】
0003193747.tif 000005
【手続補正書】
【提出日】平成26年8月6日(2014.8.6)
【手続補正１】
【補正対象書類名】実用新案登録請求の範囲
【補正対象項目名】全文
【補正方法】変更
【補正の内容】
【実用新案登録請求の範囲】
【請求項１】
自動車サイドミラーに取り付ける自動車サイドミラーの水滴除去装置であって車輌前方の空気を取り入れる空気取り入れ部（１）と、空気取り入れ部（１）により取り入れた空気をサイドミラーのミラー面に対して吹き付けるようにミラー面に対抗して配置した空気吹き出し部（２）を備えた空気流調整部をサイドミラーに取り付けたことを特徴とする降雨時の水滴を除去することができる自動車サイドミラーの水滴除去装置。
(57)【要約】      （修正有）【課題】外出先で簡単に衣類のしわ伸ばしが出来るドライヤー口アイロンカバーを提供する。【解決手段】ドライヤー口アイロンカバー１は、化学繊維に耐熱加工を施し、多種のドライヤーの吹き出し口に適用するように楕円形又は丸円に施工し、そこに５ｍｍ間隔に直径２ｍｍの丸穴２をあけ、その周りに幅３ｃｍ程の伸縮性シリコンテープ３を施す事で吹き出し口に取り付けが可能である。【選択図】図１
0003193746.tif 000002
【実用新案登録請求の範囲】
【請求項１】
化学繊維に耐熱加工し、多種のドライヤー口に適用する様に楕円形４ｃｍ×６ｃｍ位、丸円直径６ｃｍ位を施工、楕円形、丸円型の中に５ｍｍ間隔丸穴２ｍｍ施し、楕円形及び、丸円型周りに伸縮性シリコンテープ幅３ｃｍ程を接着する事で、ドライヤー口周り止めを配した事を特徴とするドライヤー口アイロンカバー。
【考案の詳細な説明】
【技術分野】
【０００１】外出先では簡単に衣類のしわ伸ばしが出来なく、ドライヤー兼用アイロンを図った物である。
【背景技術】
【０００２】現時点に於いて、ドライヤーは乾燥の役目で、他目的に欠けている。
【先行技術文献】
【特許文献】
【特許文献】化学繊維に耐熱加工を施し、多種のドライヤーに適応する様、楕円形、丸円型の中に丸穴を施し、楕円形、丸円型の周りにドライヤー口周りに伸縮性シリコンテープを施す事に寄るドライヤー口アイロンカバー。
【特許文献１】
【特許文献２】
【非特許文献】
【非特許文献１】
【考案の概要】
【考案が解決しようとする課題】既存のドライヤーは、乾燥の用途のみで、アイロンの機能性に匹敵する事柄。
【課題を解決するための手段】本考案は、上記目的を達成するために、化学繊維に耐熱加工を施し多種のドライヤーに適応する様、楕円形、丸円型を施工し、加工した両繊維の中に５ｍｍ間隔に丸穴２ｍｍを施し、加工した両繊維の周りに伸縮性シリコンテープを施工す。
【考案の効果】外出先での洋服のしわ等、上記の考案したドライヤー口アイロン口カバーをセットする事に寄り可能と成る。
【図面の簡単な説明】
【図１】ドライヤー口アイロンカバーの平面図である。
【図２】ドライヤー口アイロンカバーを示した断面図
【考案を実施するための形態】
既存のアイロンに於いては、外出時に持ち運び不可能が為。
【実施例】ドライヤー吹き出し口に施したドライヤー口アイロンカバーをセットする事に寄り何処でも簡単に衣類のしわが解消される。
【産業上の利用可能性】量産化出来、機能性豊か、安価と多様化利用の可能。
【符号の説明】［１］  ドライヤー口アイロンカバー。
［２］  ドライヤー口アイロンカバーに施した丸穴。
［３］  ドライヤー口アイロンカバーに施した伸縮性シリコンテープ。
【図１】
0003193746.tif 000003
【図２】
0003193746.tif 000004
【手続補正書】
【提出日】平成26年7月4日(2014.7.4)
【手続補正１】
【補正対象書類名】実用新案登録請求の範囲
【補正対象項目名】全文
【補正方法】変更
【補正の内容】
【実用新案登録請求の範囲】
【請求項１】
化学繊維に耐熱加工を施し、多種のドライヤーの吹き出し口に適用するように楕円形又は丸円に施工し、そこに５ｍｍ間隔に丸穴直径２ｍｍをあけ、その周りに幅３ｃｍ程の伸縮性シリコンテープを施す事で吹き出し口に取り付けが可能である事を特徴とするドライヤー口アイロンカバー。
【手続補正２】
【補正対象書類名】明細書
【補正対象項目名】全文
【補正方法】変更
【補正の内容】
【考案の詳細な説明】
【技術分野】
【０００１】旅行先等では簡単に衣類のしわ伸ばしができない為、ドライヤー兼用アイロンを図った物である。
【背景技術】
【０００２】現時点に於いて、ドライヤーは髪の乾燥及び整髪の用途で、他目的に欠けている。
【先行技術文献】
【特許文献】
【特許文献】化学繊維に耐熱加工を施し、多種のドライヤーの吹き出し口に適用するように楕円形又は丸円に施工して丸穴を開け、周りに伸縮性シリコンテープを施すことによるドライヤー口アイロンカバー。
【特許文献１】
【特許文献２】
【非特許文献】
【非特許文献１】
【考案の概要】
【考案を解決しようとする課題】
既存のドライヤーは、髪の乾燥及び整髪の用途のみで、アイロンの機能性に匹敵する事柄。
【課題を解決するための手段】
本考案は、上記目的を達成するために化学繊維に耐熱加工を施し、多種のドライヤーの吹き出し口に適用するように楕円形又は丸円に施工し、そこに５ｍｍ間隔に丸穴直径２ｍｍを開け、周りに伸縮性シリコンテ−プを施工する。
【考案の効果】
旅行先での衣類のしわ等の改良が、上記で考案したドライヤー口アイロンカバーを取り付けることにより可能となる。
【手続補正書】
【提出日】平成26年8月21日(2014.8.21)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】旅行先等では簡単に衣類のしわ伸ばしができない為、ドライヤー兼用アイロンを図った物である。
【背景技術】
【０００２】現時点に於いて、ドライヤーは髪の乾燥及び整髪の用途で、他目的に欠けている。
【先行技術文献】
【特許文献】
【特許文献】化学繊維に耐熱加工を施し、多種のドライヤーの吹き出し口に適用するように楕円形又は丸円に施工して丸穴を開け、周りに伸縮性シリコンテープを施すことによるドライヤー口アイロンカバー。
【特許文献１】
【特許文献２】
【非特許文献】
【非特許文献１】
【考案の概要】
【考案を解決しようとする課題】
既存のドライヤーは、髪の乾燥及び整髪の用途のみで、アイロンの機能性に匹敵する事柄。
【課題を解決するための手段】
本考案は、上記目的を達成するために化学繊維に耐熱加工を施し、多種のドライヤーの吹き出し口に適用するように楕円形又は丸円に施工し、そこに５ｍｍ間隔に丸穴直径２ｍｍを開け、周りに伸縮性シリコンテープを施工する。
【考案の効果】
旅行先での衣類のしわ等の改良が、上記で考案したドライヤー口アイロンカバーを取り付けることにより可能となる。
【図面の簡単な説明】
【図１】ドライヤー口アイロンカバーの平面図である。
【図２】ドライヤー口アイロンカバーを示した断面図
【考案を実施するための形態】
既存のアイロンに於いては、外出時に持ち運び不可能が為。
【実施例】ドライヤー吹き出し口に施したドライヤー口アイロンカバーをセットする事に寄り何処でも簡単に衣類のしわが解消される。
【産業上の利用可能性】量産化出来、機能性豊か、安価と多様化利用の可能。
【符号の説明】［１］  ドライヤー口アイロンカバー。
［２］  ドライヤー口アイロンカバーに施した丸穴。
［３］  ドライヤー口アイロンカバーに施した伸縮性シリコンテープ。
(57)【要約】      （修正有）【課題】封筒等を真っ直ぐに切断することができ、封入された書類等を誤って切断することがない切断用具を提供する。【解決手段】ベース板１と可動板２とを上下に離間した状態でそれぞれの端部３で上下に連結し、可動板の可動端部７には、互いに離間した一対の切断刃４がベース板に向けて取り付けられ、ベース板上には、切断刃がシートを切断するときに切断刃を傷付けないマット５を取り付ける。切断刃は、マットに向かって先が鋭角であり、かつ各切断刃が可動端部に沿って一直線上に配置されている。【選択図】図１
0003193507.tif 000002
【実用新案登録請求の範囲】
【請求項１】
上下に平行に配置されたベース板とそれよりも短小な可動板との間に封筒等のシートを挟んで該シートを切断する切断用具であって、前記ベース板と前記可動板とがそれぞれの端部で上下に連結されており、前記可動板の可動端部には、互いに離間した一対の切断刃が前記ベース板に向けて取り付けられ、前記ベース板上には、前記切断刃を傷付けないマットが取り付けられ、前記切断刃は、前記マットに向かって先端が鋭角に形成され、かつ切断刃が前記可動端部の縁に沿って一直線上に配置されている切断用具。
【請求項２】
前記切断刃が前記可動板に対し、着脱自在である請求項１に記載の切断用具。
【考案の詳細な説明】
【技術分野】
【０００１】  本考案は、封筒や紙等のシートを真っ直ぐに切断することのできる切断用具に関する。
【背景技術】
【０００２】  封筒等を開封する専門の開封具としては、ペーパーナイフの他に、下記特許文献に記載の種々のものが知られている。
【先行技術文献】
【特許文献】
【０００３】
【特許文献１】実開昭６２−１２６９９９号広報
【特許文献２】実用新案登録第３１７７６６４号広報
【考案の概要】
【考案が解決しようとする課題】
【０００４】  これらの開封具は、封筒を上下に挟み込んだ状態で切断刃を封筒に当てて引けば、切断刃が封筒を開封するようになっている。しかし、これらの開封具は、何れも切断刃が一つしかないから、切り口が真っ直ぐにはならず、ときには、封筒内の書類も切断してしまう問題があった。
【課題を解決するための手段】
【０００５】  本考案は、この問題を解決したもので、上下に平行に配置されたベース板とそれよりも短小な可動板との間に封筒等のシートを挟んで該シートを切断する切断用具であって、前記ベース板と前記可動板のそれぞれの端部が上下に連結されており、前記可動板の可動端部の縁には、互いに離間した一対の切断刃が前記ベース板に向けて取り付けられ、前記ベース板上には、前記切断刃を傷付けないゴムや発砲樹脂等からなるマットが取り付けられ、前記切断刃は、前記マットに向かって先端が鋭角に形成され、かつ各切断刃が前記可動端部の縁に沿って一直線上に配置されていることを特徴とする。
【考案の効果】
【０００６】  本考案によれば、ベース板と可動板との間に封筒等のシートを挟んで切断する一対の切断刃を、可動板の可動端部の縁に沿って一直線に配置したから、封筒等を真っ直ぐに切断することができる。したがって、封入された書類等を誤って切断することがない。
【図面の簡単な説明】
【０００７】
【図１】  切断用具の外観斜視図
【図２】  一対の切断刃の間を横断したときの切断用具の断面図
【考案を実施するための形態】
【０００８】  図１は、本考案に係る切断用具１０の外観斜視図を示す。この図において切断用具１０は、ベース板１と、可動板２と、切断刃４とを備えている。ベース板１と可動板２とは上下に離間した状態で、それぞれの端部３で上下に連結されている。これらのベース板１と可動板２は、例えば板バネで構成されており、それぞれの端部３を支点として、可動板２の可動端部７がベース板１に向って遥動するようになっている。
【０００９】  一方、可動板２の可動端部７は、逆Ｕ字状に折り曲げられ、その折り曲げ部分の間に一対の切断刃４が挟み込まれている。各切断刃４は、逆Ｕ字状の折り曲げ部分内で互いに連結されて一体化されており、それらの刃先は、ベース板１に向かって先細りの鋭角に形成されている。また、各切断刃４は、逆Ｕ字状の折り曲げ部分内に挟み込まれているから、その側面から替え刃を押し込めば、一対の切断刃４が側方に抜けて、新たな切断刃４と取り替えることができるようになっている。
【００１０】  ベース板１上には、切断刃４をベース板１に向けて押したときに、その先端を傷付けないゴムや発砲樹脂等からなる弾性体のマット５が貼り付けられている。
【００１１】  使用に際しては、封筒６の封止部分をベース板１と可動板２との間に入れ、切断刃４を封筒６の開封しようとする位置に合わせてベース板１と可動板２とを軽く押さえる。そして、切断用具１０を封筒６の縁に沿って引けば、一対の切断刃４が互いの蛇行を拘束するために、切断面が一直線に形成されて、定規等を使用しなくても、封筒６を真っ直ぐに切断することができる。
【００１２】  封筒６の開封位置は、封筒６の封止部分と、端部３との距離を調整することで任意の位置に変えることができる。また、封筒６だけでなく、ビニールシートや布や包装紙等のシート類も同様に切断することができる。
また、一直線に切れることから、手動式のシュレッダーとしても使用することができる。
【符号の説明】
【００１３】  １    ベース板
２    可動板
３    端部
４    切断刃
５    マット
６    封筒
７    可動端部
１０    切断用具
【図１】
0003193507.tif 000003
【図２】
0003193507.tif 000004
(57)【要約】      （修正有）【課題】接合部にマグネット式ホックを採用することにより使用中の不快感及び着脱時の不便さを解消する骨盤矯正用のサポーターを提供する。【解決手段】同じ長さの２枚の弾力布１１，１２の両端部の間に、ウレタンラバーを挟んで縫合し、その左右両端部にマグネットホックを取り付ける。本体自体に２本の幅の広いゴム紐を使用することで骨盤のほぼ全体を締め付けることが出来る他、上下方向から締め付ける事でサポーター自体を安定させ仙腸骨周りの筋肉の弾力性を高めずれた関節を元の位置に戻し痛みを和らげる事が出来る。【選択図】図１
0003193504.tif 000002
【実用新案登録請求の範囲】
【請求項１】
同じ長さの弾力布２枚の両端部の間に、ウレタンラバーを挟んで縫合し、その左右両端部にマグネットホックを取り付けたことを特徴とする骨盤矯正サポーター。
【考案の詳細な説明】
【技術分野】
【０００１】      本考案は骨盤矯正サポーターに関する。
【背景技術】
【０００２】      骨盤矯正ベルトは骨盤を引き締めたい人、ヒップアップを行いたい人など腰周りに着用する幅広のベルトであって従来多数の考案が提案されている。従来、同様の骨盤矯正用のサポーターが有るが、ベルトの接合部にマジックテープや鍵ホック式がほとんどである。マジックテープの場合着用を重ねることでテープ自体が変形してしゃがんだ時など身体に擦れるなどの事例が有り、また鍵ホック式の場合着脱時にフックが外し難く高齢者等に不評であった。
【先行技術文献】
【特許文献】
【０００３】
【特許文献１】実用新案登録第３１６５１１１号
【考案の概要】
【考案が解決しようとする課題】
【０００４】      上記特許文献１において使用しているマジックテープは構造上伸縮しにくい為弾力布と縫製した場合時間の経過に伴いヨレが生じる等の問題がある。
【課題を解決するための手段】
【０００５】      本考案では強力な磁力を有するマグネット式のホックを採用する事で従来の不便さを解消するものである。本考案は、同じ長さの弾力布２枚の両端部の間に、ウレタンラバーを挟んで縫合し、その左右両端部にマグネットホックを取り付けたことを特徴とする骨盤矯正サポーターである。本考案では接合部にマグネット式ホックを採用することにより使用中の不快感及び着脱時の不便さを解消する事を目的とする。本体自体に２本の幅の広いゴム紐を使用することで骨盤のほぼ全体を締め付けることが出来る他上下方向から締め付ける事でサポーター自体を安定させ仙腸骨周りの筋肉の弾力性を高めずれた関節を元の位置に戻し痛みを和らげる事が出来る。
【図面の簡単な説明】
【０００６】
【図１】本考案の一実施例の骨盤矯正サポーターを着用している状態の図である。
【図２】本考案の正面図と平面図である。
【図３】本考案斜視図である。
【考案を実施するための形態】
【０００７】    図２の平面図により、その構成を説明する。弾力布（１１）と弾力布（１２）は同じ寸法である。おおよその寸法は幅８〜１２ｃｍ長さ６０〜１００ｃｍで着用者の身体に合わせ適宜選択すれば良い。（１１）と（１２）の両端部間にはウレタンラバー（１３）を設置して弾力布を補強縫合固定する。ウレタンラバーの寸法幅は弾力布の幅と同じくし、長さは３〜５ｃｍの間が良い。弾力布（１２）の左側端部の下側にメスのマグネットホック（３Ａ）を設置している。弾力布（１１）の右側端部上側にオスのマグネットホック（３Ｂ）を設置している。マグネットホックとは一般に同名で市販されている物を言う。マグネットホックの設置方法は縫い込み式又は折り曲げ式があり、これは適宜選択すれば良い。好ましくは薄く外れにくい折り曲げ式が良い。
【符号の説明】
【０００８】    １０．骨盤矯正サポーター全体
１１．上弾力布
１２．下弾力布
１３．ウレタンラバー
３Ａ．メスのマグネットホック
３Ｂ．オスのマグネットホック
【図１】
0003193504.tif 000003
【図２】
0003193504.tif 000004
【図３】
0003193504.tif 000005
(57)【要約】      （修正有）【課題】買物等で使用するレジ袋の収納において、手早くかつ出し入れがしやすく数多く収納でき又収納したときの見栄えの良いレジ袋収納箱を提供する。【解決手段】有底箱体Ａとその上部開口部から落ちこみ可能な蓋体Ｂからなり、蓋体には取っ手が設けられている。【選択図】図５
0003193513.tif 000002
【実用新案登録請求の範囲】
【請求項１】
有底箱体と該有底箱体の開口部から落ちこみ可能な蓋体からなることを特徴とするレジ袋収納箱。
【請求項２】
前記蓋体には取っ手が設けられていることを特徴とする請求項１に記載のレジ袋収納箱。
【考案の詳細な説明】
【技術分野】
【０００１】
本考案は、レジ袋を収納する為のレジ袋収納箱に関する。
【背景技術】
【０００２】
レジ袋は購入した商品を持ち帰り、商品を出して畳んだりそのまま巻いて真ん中で結んで各々の場所に収納するのが一般的である。
【考案の概要】
【考案が解決しようとする課題】
【０００３】
買物をしてレジ袋を収納するとき、レジ袋はビニールである為ふくらんでかさ張ってしまう。
【０００４】
又引き出しなどに収納する場合忙しいときなど、引き出しからレジ袋がはみ出してしまうこともある。畳んで収納する場合などは時間のロスになり夕方時食事を作るあわただしい時間帯には畳む作業を避けたくなるものである。
【課題を解決するための手段】
【０００５】
前記課題を解決するための本考案は、レジ袋を収納する箱体と蓋体をセットとすることを特徴としたレジ袋収納箱であり、請求項１に記載の考案は、有底箱体と該有底箱体の開口部から落ちこみ可能な蓋体からなることを特徴とするレジ袋収納箱である。
【０００６】
又、請求項２に記載の考案は、前記蓋体には取っ手が設けられていることを特徴とする請求項１に記載のレジ袋収納箱である。
【考案の効果】
【０００７】
レジ袋を畳む必要がないため時間のロスがない。
【０００８】
蓋体によってレジ袋のかさ張りがなく数多く収納できる。
【０００９】
蓋体の上げ下げだけなので取り出しやすい。
【００１０】
レジ袋収納箱に色や柄をつけることにより見栄えが良い。この場合、レジ袋収納箱がコンパクトで見栄えが良いので飾りの役割を果たし部屋の何処に置いても良い。
【００１１】
手早く出し入れができることによってストレスが軽減される。
【図面の簡単な説明】
【００１２】
【図１】レジ袋収納箱を示す図で、左側は有底箱体を示し、右側は蓋体を示す
【図２】レジ袋を示す図
【図３】レジ袋を結んだ状態を示す図
【図４】有底箱体（Ａ）に結んだレジ袋（Ｃ）を入れるところの状態を示す図
【図５】有底箱体（Ａ）に結んだレジ袋（Ｃ）を入れ蓋体（Ｂ）を乗せた状態を示す図
【考案を実施するための形態】
【００１３】
本考案に係るレジ袋収納箱について、図を参照しながら詳細に説明する。
有底箱体Ａは透明なプラスチック製板で構成される有底の直方体を成しており、上部は開口部Ｅを有している。蓋体Ｂは前記有底箱体の開口部Ｅから落ちこみ可能である。すなわち、前記蓋体Ｂは長方形のプラスチック板材から構成されており、長方形の大きさは前記開口部Ｅの内径より小径にできている。前記蓋体Ｂには取っ手Ｄが設けられている。
本考案に係るレジ袋収納箱は蓋体を使うことによってかさ張りがないため数多くのレジ袋が収納できる。
【００１４】
蓋体Ｂに取っ手Ｄをつけているので簡単かつスムーズに出し入れができる。
【００１５】
又、有底箱体Ａや蓋体Ｂの素材はプラスチックに限らず木材や厚紙など形のくずれないものであれば良い。又、必ずしも透明である必要はない。
【００１６】
有底箱体、蓋体の色、柄は適宜選択すれば良い。
【００１７】
レジ袋収納箱がコンパクトかつ見栄えが良いので置き場所を選ばない。
【符号の説明】
【００１８】
（Ａ）有底箱体
（Ｂ）蓋体
（Ｃ）レジ袋
（Ｄ）取っ手
（Ｅ）開口部
（Ｆ）レジ袋収納箱
【図１】
0003193513.tif 000003
【図２】
0003193513.tif 000004
【図３】
0003193513.tif 000005
【図４】
0003193513.tif 000006
【図５】
0003193513.tif 000007
(57)【要約】      （修正有）【課題】刈払機による草刈作業する上での安全面、作業効率の向上を目的とするための回転刈刃を提供する。【解決手段】回転刈刃１の刃底２から十数ｍｍ〜三十数ｍｍ中心側の周回部分で外周部分に位置する刃の部分を数度〜十数度の角度で上向きに反らせた形状とする。回転中に刃先３より先に滑らかな湾曲部４が接地することで、小石や砂利の飛散やキックバックが軽減することによる安全面の効果と刃先の損傷軽減による作業効率の効果をはかることができ、実用性に優れたものである。【選択図】図１
0003193512.tif 000002
【実用新案登録請求の範囲】
【請求項１】
回転刈刃の刃底から十数ｍｍ〜三十数ｍｍ中心側の周回部分で外周部分に位置する刃の部分を数度〜十数度の角度で上向きに反らせた形状の回転刈刃。
【考案の詳細な説明】
【技術分野】
【０００１】本考案は、刈払機による草刈作業する上での安全面、作業効率の向上を目的とするための回転刈刃の形状に関するものである。
【背景技術】
【０００２】刈払機用の回転刈刃は一般に平面円盤状の製品が多く流通している。
【考案の概要】
【考案が解決しようする課題】
【０００３】一般に流通している刈払機の回転刈刃は平面状のため草刈り作業時に回転中の刃先から接地しやすく、小石や砂利の飛散とキックバックによる危険性が大きい。
また、刃先が先に小石や砂利に当たりやすいことによる刃先の損傷の大きな要因となり作業の効率低下の一因になっている。
【課題を解決するための手段】
【０００４】回転刈刃の刃底から十数ｍｍ〜三十数ｍｍ中心側の周回部分で外周部分に位置する刃の部分を数度〜十数度の角度で上向きに反らせた形状とする。
【考案の効果】
【０００５】図３に示すように、回転中に刃先３より先に滑らかな湾曲部４が接地することで、小石や砂利の飛散やキックバックが軽減することによる安全面の効果と刃先の損傷軽減による作業効率の効果をはかることができ、実用性に優れたものである。
【図面の簡単な説明】
【０００６】
【図１】本考案の回転刈刃の直径断面図である。
【図２】本考案の回転刈刃を刈払機に取付けた斜視図である。外周の刃の形状は省略している。
【図３】本考案の回転刈刃を使用時の接地状態を示す模式図である。
【考案を実施するための形態】
【０００７】図１に示すように、回転刈刃の刃底２から十数ｍｍ〜三十数ｍｍ中心側の周回部分で外周部分に位置する刃の部分を数度〜十数度の角度で上向きに反らせた形状とする。
【０００８】反らせる位置と角度は、回転刈刃の外径や刃の形状及び使用場所に対応して効果的な形状とする。
【符号の説明】
【０００９】１  刈刃本体    ２  刃底    ３  刃先    ４  湾曲部    ５  小石、砂利等
６  地面
【図１】
0003193512.tif 000003
【図２】
0003193512.tif 000004
【図３】
0003193512.tif 000005
(57)【要約】【課題】通行者などの視線を好適に遮ることができるとともに、太陽光の入射、及び、風の流入を許容することができ、良好な作業環境を創出することができる建屋の開口部仕切りカーテンを提供する。【解決手段】カーテン１は、不透明な合成樹脂製の布材を矩形状に裁断して形成された基部２と、通気性の良好な合成樹脂製のメッシュ状布材を所定の形状に裁断して形成されたメッシュ部４とによって構成され、メッシュ部４は、基部３のいずれかの位置に形成された窓を閉塞するように、窓の周縁部分３に全周的に隙間なく取り付けられている。尚、基部２の上縁付近には、多数の鳩目５が、所定の間隔を置いて並列配置されている。【選択図】図１
0003193589.tif 000002
【実用新案登録請求の範囲】
【請求項１】
不透明な合成樹脂製の布材を矩形状に裁断して形成された基部と、通気性の良好な合成樹脂製のメッシュ状布材を所定の形状に裁断して形成されたメッシュ部とによって構成され、
メッシュ部が、基部のいずれかの位置に形成された窓を閉塞するように、窓の周縁部分に全周的に隙間なく取り付けられていることを特徴とする、建屋の開口部仕切りカーテン。
【請求項２】
基部の上縁付近には、多数の鳩目が、所定の間隔を置いて並列配置されていることを特徴とする、請求項１に記載の建屋の開口部仕切りカーテン。
【考案の詳細な説明】
【技術分野】
【０００１】
本考案は、建屋の開口部（例えば、戸建住宅のガレージの開口部、倉庫の開口部等）に設置されるカーテンに関する。
【背景技術】
【０００２】
戸建て住宅には、母屋の内部に駐車スペースを確保できるようにしたもの（ビルトインガレージ）があるが、このようなガレージの開口部には、自動車の出入りの際に開閉される金属製のシャッターが取り付けられていることが多い。
【先行技術文献】
【特許文献】
【０００３】
【特許文献１】特開２０００−２７５６１号公報
【考案の概要】
【考案が解決しようとする課題】
【０００４】
このようなガレージにおいて、日中に洗車を行うとき、或いは、何らかの作業を行う際に、シャッターを閉めたままであると、太陽光が遮られて暗くなってしまい、また、風通しが悪いため、シャッターを開けた状態で、作業を行うことが望まれる場合がある。また、洗車後に自動車を鑑賞するような場合も、採光のためにシャッターを開けた状態としておくことが望まれる場合がある。
【０００５】
しかしながら、シャッターを開けたままで作業を行うと、近接する道路の通行者などの視線を遮ることができないという問題があるほか、また、夏季においては、蚊や蜂などが侵入してしまうという問題がある。更に、金属製のシャッターは、開閉が面倒であり、ガレージの内外への出入りが頻繁に必要となる作業を行う場合において、いちいちシャッターを開閉しなければならないとすると、非常に煩わしいという問題がある。
【０００６】
本考案は、上記のような従来技術における問題を解決しようとするものであって、通行者などの視線を好適に遮ることができるとともに、太陽光の入射、及び、風の流入を許容することができ、良好な作業環境を創出することができる建屋の開口部仕切りカーテンを提供することを目的とする。
【課題を解決するための手段】
【０００７】
本考案に係る建屋の開口部仕切りカーテンは、不透明な合成樹脂製の布材を矩形状に裁断して形成された基部と、通気性の良好な合成樹脂製のメッシュ状布材を所定の形状に裁断して形成されたメッシュ部とによって構成され、メッシュ部が、基部のいずれかの位置に形成された窓を閉塞するように、窓の周縁部分に全周的に隙間なく取り付けられていることを特徴としている。
【０００８】
尚、基部の上縁付近には、多数の鳩目が、所定の間隔を置いて並列配置されていることが好ましい。
【考案の効果】
【０００９】
本考案に係る建屋の開口部仕切りカーテンは、不透明な基部と通気性の良好なメッシュ部とによって構成されているため、通行者などの視線を好適に遮ることができるとともに、太陽光の入射、及び、風の流入を許容することができ、良好な作業環境を創出することができる。また、開閉が容易であり、更に、蚊や蜂などの侵入も好適に阻止することができる。
【図面の簡単な説明】
【００１０】
【図１】図１は、本考案に係るカーテン１の構成例を示す図である。
【図２】図２は、本考案に係るカーテン１の他の構成例を示す図である。
【考案を実施するための形態】
【００１１】
以下、本考案を実施するための形態について説明する。図１及び図２は、本考案に係る建屋の開口部仕切りカーテン１（以下、単に「カーテン１」と言う。）の構成例を示す図である。このカーテン１は、図示されているように、基部２と、メッシュ部４とによって構成されている。
【００１２】
基部２は、不透明な合成樹脂製の布材（例えば、ポリエステル製のシートの表面に、ポリオレフィン系樹脂或いはポリ塩化ビニル樹脂をコーティングした合成樹脂製布材）を矩形状に裁断して形成されている。メッシュ部４は、通気性の良好な合成樹脂製のメッシュ状布材（例えば、ポリエステル製のシートの表面に、ポリウレタン系樹脂或いはポリ塩化ビニル樹脂をコーティングした合成樹脂製メッシュ状布材）を矩形状に裁断して形成されており、基部２のいずれかの位置に形成された長方形の窓を閉塞するように、窓の周縁部分３に全周的に隙間なく取り付けられている。
【００１３】
また、基部２の上縁付近には、多数の鳩目５（吊支用フックを挿通させるための孔を保護する金具）が、所定の間隔を置いて並列配置されている。このカーテン１を建屋の開口部（ビルトインガレージの開口部等）に設置する場合には、例えば、開口部の梁にカーテンレール（図示せず）を取り付け、カーテンレールのフックを各鳩目５にそれぞれ引っ掛けることにより、カーテン１を開口部の梁から吊り下げて、カーテンレールの延在方向へ移動自在なように構成する。
【００１４】
このカーテン１を、金属製のシャッターを有するビルトインガレージの開口部に設置した場合、日中に洗車を行う際、或いは、何らかの作業を行う際、シャッターを開き、開口部をカーテン１によって閉塞した状態とすれば、メッシュ部４を介して太陽光がガレージ内へ差し込むことになり、作業のための光源を確保することができる。また、カーテン１には、通気性が良好なメッシュ部４が部分的に設けられているため、ガレージ内を風通しの良い状態とすることができ、かつ、蚊や蜂などの侵入を好適に阻止することができる。
【００１５】
また、カーテン１の基部２は、不透明な素材で形成されているため、近接する道路の通行者などの視線を好適に遮ることができる。更に、ガレージの内外への出入りが頻繁に必要となる作業を行う場合において、重量のある金属製のシャッターの開閉は非常に煩わしいが、このカーテン１は、合成樹脂製の布材によって形成されているため、非常に軽量であり、極めて容易に開閉することができる。
【００１６】
尚、図１及び図２の例では、基部２の窓、及び、メッシュ部４は矩形状に形成されているが、必ずしも矩形状には限定されず、円形、或いは、その他の任意の形状とすることができる。
【符号の説明】
【００１７】
１：カーテン、
２：基部、
３：窓の周縁部分、
４：メッシュ部、
５：鳩目
【図１】
0003193589.tif 000003
【図２】
0003193589.tif 000004
(57)【要約】      （修正有）【課題】マヨネーズ等の流動体の内容物を容器から無駄のないように抽出することができる容器を提供する。【解決手段】抽出口３を頂点とした内縮径状（放物線および円錐形）の内壁面を有するキャップ２と、接続される容器口の内壁面５の径をキャップ口内壁面４の径と同径とすることで、キャップと容器を段差なく接続し、容器内壁面には底部から容器口にかけて突起状のふくらみ７を筋状に複数本いれた容器、とで構成する。【選択図】図１
0003193939.tif 000002
【実用新案登録請求の範囲】
【請求項１】
キャップは、抽出口を頂点とした内縮径状（放物線および円錐形）の形状とする内壁面を有するキャップと、接続される容器口の内壁面の径はキャップ口の内壁面の径は同径とし、容器内壁面には底部から容器口にかけて突起状のふくらみを筋状に複数本いれた容器。
【考案の詳細な説明】
【技術分野】
【０００１】  粘性のある流動体例えばマヨネーズ等のキャップと容器に関する。
【背景技術】
【０００２】  従来、食品に関してはケチャップ、濃厚ソース等、特にマヨネーズが顕著だが内容物が出きらずに抽出口内壁の隅から周囲にそして容器自体の内壁にも残ってしまう。
【先行技術文献】
【特許文献】
【０００３】
【特許文献１】  特許公開２００２−２７４５５６  公報
【特許文献２】  特許公開２０１１−１０２１５０  公報
【考案の概要】
【考案が解決しようとする課題】
【０００４】  本考案は以上のような欠点を鑑み内容物を無駄のないよう抽出することを可能にする。
【課題を解決するための手段】
【０００５】  本考案は上記目的を達成するために、キャップは、抽出口を頂点とした内縮径状（放物線および円錐形）の形状とする内壁面を有するキヤップと、接続される容器口の内壁面の径はキャップ口の内壁面の径と同径とし、容器内壁面には底部から容器口にかけて突起状のふくらみを筋状に複数本いれた容器とで構成されているので課題を解決する、流動体のキヤップと容器。
【考案の効果】
【０００６】  本発明は以上の構造をなしているので、容器とキャップとの内壁が段差なく接続されるので内容物が抽出口まで障害がなく流れやすい、さらに容器内壁に筋状のふくらみが底部から口部にあるので、この筋に内容物が誘導され容器内の内容物が流れやすくなり、キャップを下にして立てることで内容物は抽出口に集まり、残留することなく抽出できる。流動体のキャップと容器。
【図面の簡単な説明】
【０００７】
【図１】は内縮径内壁面を有するキャップと容器口の断面図。
【図２】は内容物が少なくなった場合にキャップを下に立てた状態で、内容物８が容器内壁の突起状のふくらみの筋７に誘導されて抽出口へ溜まっている。
【考案を実施するための形態】
【０００８】  以下、図面に示す考案を実施するための形態によって本発明を詳細に説明する。
図１に示す通りキヤップは抽出口を頂点とした内縮径状（放物線および円錐形）の内壁面を有していて、抽出口内壁面４と容器口内壁面５との接触面は、段差なく滑らかな面で接続されているので、内容物８が障害を得ることなくキャップ口内壁面４の面に沿って抽出口３に至るまで流れや易くなる。
【０００９】  また、図２に示す通り内容物が少なくなった場合キャップを下にして容器を立てることで、容器内壁にある複数本の突起状の筋７が誘導線になって内容物を流れ易くし、抽出口３に内容物８が集まる。よって立てた状態では内容物が常時抽出口３に集まるので、容器内に残留することなくしぼりだすことができる。
【産業上の利用可能性】
【００１０】  内容物が残留することなく使い切ることができるので、経済的で環境にも好ましく消費者に支持されるキャップおよび容器として業界に貢献できる。
【符号の説明】
【００１１】１    キヤップのフタ
２    内縮径キヤップ
３    キャップ抽出口
４    キャップ抽出口内壁面
５    容器口内壁面
６    容器
７    容器内壁の突起状の筋
８    内容物
【図１】
0003193939.tif 000003
【図２】
0003193939.tif 000004
(57)【要約】      （修正有）【課題】相対する上下刃の背中をすり合わせて切る事ができる爪切りを提供する。【解決手段】水平に内側への曲る湾曲の刃形に加えて、下刃１は爪のふくらみに合わせた山形の外刃形とし、上刃２は内側に刃を付け、山形の下刃１との刃間隔にほぼ対応しつつ、最も間隔の少ない一端から間隔が広がる曲形で、その上下相対する刃の背中を一端から全体へとすり合わせて切る。【選択図】図３
0003193938.tif 000002
【実用新案登録請求の範囲】
【請求項１】
従来の刃部のような、水平に内側へ曲る湾曲の刃形に加えて下刃は山形の外刃形とし。
上刃は内刃形で刃の背中を下刃の背中とすり合う内側の位置にあって、下刃との刃間隔は一定ではなく山形の下刃にほぼ対応しつつ、もっとも間隔の少ない一端から末広がりに広がる曲刃形になっている。以上のことから上刃は下刃とぶつかり合うことなく、相対する上下両刃の背中どうしを端から全体へとすり合わせて切る爪切り。
【考案の詳細な説明】
【技術分野】
【０００１】  本考案は、テコを応用している爪切り（クリッパー型）の刃部に関するものである。
【背景技術】
【０００２】  従来の爪切りは、外刃形の上下一対の水平な刃部で、爪を挟み押圧して爪を圧切する。
【考案の概要】
【考案が解決しようとする課題】
【０００３】  従来の爪切りで切った爪の切り後は、決して滑らかではなく、刃が水平のため、時には爪が割れ、刃の当たった爪全部を一度に圧切りする切り方なので、切りとられた爪は飛び散ることが多く、切るたびに刃と刃がぶつかり合うことになるので、長く使うと切れなくなることがあるといった欠点があった。
本考案は以上のような課題を鑑み解決する為の切る爪切りである。
【課題を解決するための手段】
【０００４】  本考案は上記目的を達成するために、従来の刃部のような、水平に内側へ曲る湾曲の刃形に加えて、下刃は爪のふくらみと同様に山形の外刃形とし、上刃は内刃形で刃の背中を下刃の背中とすり合う内側の位置にあって、下刃との刃間隔は一定ではなく山形の下刃にほぼ対応しつつ、もっとも間隔の少ない一端から末広がりに広がる曲刃形になっている。以上のことから上刃は下刃とぶつかり合うことなく、相対する上下両刃の背中どうしを端から全体へとすり合わせて切ることができるので課題を解決できる。
【考案の効果】  本考案は以上のことから、相対する上下刃の背中をすり合わせて切る事ができるので次に列挙する効果が得られる。
従来の爪切りのように爪全部を一緒に切るのではなく、端から全体へと切る位置が移動する切り進む切り方なので爪の切り後は滑らかで、下刃が山形の刃形のため爪のふくらみに沿いやすく負担なく切れるので爪は割れることもなく、切られた爪が飛び散ることもない、刃と刃がぶつかり合う切り方ではないから、刃を傷めることがないので切れ味が長持ちする。また、切る際に上刃の位置は、指先に接する下刃の外側になるので指先を傷つけることもない。
【図面の簡単な説明】
【０００５】
【図１】は、爪切りの全体図
【図２】は、相対する刃部の正面図で上刃１と下刃２との相対する刃の図で、下刃１は爪のふくらみと同様に山形の外刃形で、上刃２は内側に刃をつけた内刃形であって、下刃１にほぼ対応する曲刃形で刃２Ａから２Ｂへと下刃１との間隔が広がる曲形となっている。
【図３】は切り進む際の相対する刃の動きを示している。山形の下刃１に上刃２Ａが最初にすり合わさり、次第にすり合わせが２Ｂに至り全体がすり合わさる。
【図４】は下刃１と上刃２の相対する刃の背中をすり合わせて爪を切り終わった刃の断面図である。
【考案を実施するための形態】
【０００６】  図２に示すように、従来の刃部のような水平に内側へ曲る湾曲の刃形に加えて、下刃１は外刃で爪のふくらみと同様に山形の刃形であり、上刃２は内刃形で下刃との刃間隔が２Ａから２Ｂへ末広がりに広がっている。下刃１に相対する上刃２は刃の背中が下刃の背中とすり合う内側の位置にあるから、図４に示すように押し圧された上刃２は下刃１とぶつかり合うことなく刃の背中をすり合わせて切ることができる。又図３に示すように下刃１と上刃２との刃間隔が一定ではないので、最初は下刃１に上刃２Ａがすり合わさり、次第にすり合わせが２Ｂに至るので切る位置が移動し切り進む切り方の形態である。
【符号の説明】
【０００７】１    下刃
２    上刃
２Ａ  上刃右端刃先
２Ｂ  上刃左端刃先
【図１】
0003193938.tif 000003
【図２】
0003193938.tif 000004
【図３】
0003193938.tif 000005
【図４】
0003193938.tif 000006
(57)【要約】      （修正有）【課題】上下に分離し、それぞれを別個に使用することが可能な機構を持たせる人型形状の寝袋を提供する。【解決手段】寝袋の腰部から腹部の全周にかけて、分離機能を取付ける構造である。分離機能はファスナー、面ファスナー、バックル等を使用しており、着用者の胴体に対して、垂直方向に取付けられている。その分離機構を開放することで、人型形状の寝袋を上部構造体１と下部構造体２に分離することを可能にする。【選択図】図１
0003193931.tif 000002
【実用新案登録請求の範囲】
【請求項１】
人型形状の寝袋の上半身部分と下半身部分を分離することが可能な機構からなる人型形状の寝袋。
【考案の詳細な説明】
【技術分野】
【０００１】本考案は人型形状の寝袋の脇部から腰部の間に取付けられた、寝袋本体を上下に分離する構造に関するものである。
【背景技術】
【０００２】人型形状の寝袋とは、通常の寝袋がミノ虫形状、または封筒形状をしていることに対して、手足を分離させ、人体に沿った形に成形された寝袋である。【０００３】人型形状になっていることにより、通常の寝袋に比べ、自由な動きをとることが可能である。【０００４】人型形状の寝袋に寝袋本体を脱がずとも、トイレ等が利用できるように、臀部を露出させる機構を設けたものとして、実登３１８７４１０号に開示された人型形状の寝袋がある。しかしながら、当該機構では人型の寝袋を着た状態で、直立状態で用を足す、といったことが構造上できない点や、寝袋そのものを着脱しなければ温度調整ができない、また、自動車や自転車等を運転する際に下半身のみを脱ぐことができない等の課題を解決することはできなかった。
【考案の概要】
【考案が解決しようとする課題】
【０００５】本考案は、以上のような従来の問題点を解決するため、人型形状の寝袋を上下に分離し、それぞれを別個に使用することが可能な機構を持たせることを目的としている。
【課題を解決するための手段】
【０００６】人型形状の寝袋の腹部から腰部にかけて、ファスナー、面ファスナー、バックル、ボタン等を使用して上部構造体と下部構造体と分離可能な構造にする。
【考案の効果】
【０００７】人型形状の寝袋の上部構造体を上着とし、下部構造体をズボンとしてそれぞれ独立して使用することが可能となったことで、従来の寝袋よりもより緻密に着用者の温度調整が可能となった。【０００８】上部構造体と下部構造体を固定する部分を一部のみを開放することで、実登３１８７４１０号と同様の作用に加え、前記実用登録では行えなかった、直立状態でも用を足すことが可能となった。
【図面の簡単な説明】
【０００８】
【図１】本考案に係る人型形状の寝袋の全体図である。
【図２】本考案に係る人型形状の寝袋の下部構造体を示す図である。
【図３】本考案に係る人型形状の寝袋の上部構造体を示す図である。
【図４】本考案に係る人型形状の寝袋の接合部分を上部から見た図である。
【図５】本考案に係る人型形状の寝袋の上下構造体の固定方法についての面ファスナー使用時の実施例の図である。
【図６】本考案に係る人型形状の寝袋の上下構造体の固定方法についてのバックル使用時の実施例の図である。
【図７】本考案に係る人型形状の寝袋の上下構造体のファスナー使用時の固定方法についての実施例の図である。
【符号の説明】
【０００９】１−上部構造体  ２−下部構造体  ３−接合部分  ４−面ファスナー  ５−バックル
６−ファスナー
【図１】
0003193931.tif 000003
【図２】
0003193931.tif 000004
【図３】
0003193931.tif 000005
【図４】
0003193931.tif 000006
【図５】
0003193931.tif 000007
【図６】
0003193931.tif 000008
【図７】
0003193931.tif 000009